(57)【要約】【課題】網を指定する情報の付与等を必要としない網選択並びにこの選択した網を介した通話相手との接続を可能とする通信端末アダプタを提供する。【解決手段】網決定部１３に備わった網決定用テーブル１３１が過去の通話における通話相手番号と網識別情報とを対応づけて記憶し、網決定部１３が一般加入電話端末２からの通話の際に通知される通話相手番号に対して網決定用テーブル１３１で対応づけられている網識別情報を読み出す。そして、一般加入電話端末２と該一般加入電話端末２から通知された通話相手番号で特定される通話相手（３，４）とを読み出された網識別情報で特定される網（１０１，１０２）を介して接続させる【選択図】　　　図１
2004040327.tif 000002
【特許請求の範囲】
【請求項１】
一般加入電話端末を複数の網のいずれかを介して通話相手に接続させる通信端末アダプタにおいて、
前記一般加入電話端末への過去の通話における通話相手番号と当該通話のときの網の識別情報である網識別情報とが対応づけて記憶される記憶手段と、
前記一般加入電話端末からの通話の際に通知される通話相手番号に対して前記記憶手段で対応づけられている網識別情報を読み出す網識別情報読み出し手段と、
前記一般加入電話端末と該一般加入電話端末から通知された前記通話相手番号で特定される通話相手とを前記読み出された網識別情報で特定される網を介して接続させる接続手段と
を備える通信端末アダプタ。
【請求項２】
前記一般加入電話端末への通話の際に当該通話における通話相手番号と当該通話のときの網の網識別情報とを対応づけて前記記憶手段に記憶させる手段を備える請求項１記載の通信端末アダプタ。
【請求項３】
前記複数の網の１つがＩＰネットワークであり、（１）ＩＴＵ−Ｔ標準Ｈ．３２３勧告に準拠したプロトコル、（２）ＩＥＴＦ標準ＳＩＰ勧告に準拠したプロトコル、（３）信号をパケット化して送受信する通信プロトコルのいずれかの通信プロトコルとの変換機能を備えたことを特徴とする請求項１または２記載の通信端末アダプタ。
【請求項４】
一般加入電話端末を複数の網のいずれかを介して通話相手に接続させる通信端末アダプタが、前記一般加入電話端末への過去の通話における通話相手番号と当該通話のときの網の識別情報である網識別情報とが対応づけて記憶される記憶手段を備えるときの通信端末アダプタの制御方法であって、
前記一般加入電話端末からの通話の際に通知される通話相手番号に対して前記記憶手段で対応づけられている網識別情報を読み出し、
前記一般加入電話端末と該一般加入電話端末から通知された前記通話相手番号で特定される通話相手とを前記読み出された網識別情報で特定される網を介して接続させる通信端末アダプタの制御方法。
【請求項５】
前記一般加入電話端末への通話の際に当該通話における通話相手番号と当該通話のときの網の網識別情報とを対応づけて前記記憶手段に記憶させる請求項４記載の通信端末アダプタの制御方法。
【請求項６】
請求項４または５記載の通信端末アダプタの制御方法を実行させる通信端末アダプタの制御プログラム。
【請求項７】
請求項４または５記載の通信端末アダプタの制御方法を実行させる通信端末アダプタの制御プログラムを記録した記録媒体。
【発明の詳細な説明】
【０００１】
【発明の属する技術分野】
本発明は、一般加入電話端末を複数の網のいずれかを介して通話相手に接続させる通信端末アダプタに係り、特に、網を指定する情報の付与等を必要としない網選択並びにこの選択した網を介した通話相手との接続を可能とする技術に関する。
【０００２】
【従来の技術】
電話網を経由した通信が可能な一般加入電話には、電話網との間でアナログ信号を送受信するもの、あるいはディジタル信号を送受信するものがあり、一般加入電話もそれぞれの信号を送受信するインタフェースを備えている。
【０００３】
また、近年ＶｏＩＰ（Ｖｏｉｃｅ　ｏｖｅｒ　ＩＰ）と呼ばれるＩＰネットワークを経由した通信形態も普及している。ＶｏＩＰは、ＩＰネットワークを経由して音声通信をするものであり、音声情報をパケット化して送受信するものである。
【０００４】
ＶｏＩＰの音声通信の方式として、ＩＴＵ−Ｔ標準Ｈ．３２３勧告や、ＩＥＴＦのＳＩＰプロトコル等が一般的な方式として採用されている。これらＶｏＩＰ通信の端末として利用可能なものは、主にＰＣ（Ｐｅｒｓｏｎａｌ　Ｃｏｍｐｕｔｅｒ）をベースとしているものが多く存在し、ＰＣ上におけるアプリケーションが上記方式を満たし、端末として動作するものである。
【０００５】
上記のＶｏＩＰ通信を行うＰＣ端末数は一般加入電話端末数に比較してまだ少数であるため、この一般加入電話端末を利用してＶｏＩＰを利用できる通信端末アダプタが実用化された。この通信端末アダプタは、一般加入電話端末を下部に収容し、従来の電話網を利用した通信だけでなく、ＶｏＩＰ通信をも行うことができるものである。
【０００６】
図７は、従来の通信端末アダプタ１Ａの構成図である。
通信端末アダプタ１Ａは、一般加入電話端末２と電話網１０１とＩＰネットワーク１０２に接続されている。
【０００７】
一般加入電話端末インタフェース部１１は、一般加入電話端末２からの通話の際に、ＩＰネットワーク１０２を指定する情報「０Ａ０」（「Ａ」はある特定の数字）を先頭に付与した通話相手番号「０Ａ０−ＹＹＹＹ−ＹＹＹＹ」が一般加入電話端末２から通知されると、この通話相手番号を信号中継部１２に通知する。信号中継部１２は、この通話相手番号を網決定部１７に通知する。
【０００８】
図８は、通信端末アダプタ１Ａが通話に使用する網を決定するために備える網決定用テーブル１７１を示す図である。
網決定部１７は、網決定用テーブル１７１を参照して、情報「０Ａ０」つきの通話相手番号「０Ａ０−ＸＸＸＸ−ＸＸＸＸ」（「Ａ」はある特定の数字、ＸＸＸＸ−ＸＸＸＸは、任意の桁数を有する任意の数字列）に対応づけられている、電話網１０１の網識別情報「１０１」を読み出して信号中継部１２に送信する。
【０００９】
信号中継部１２は、網識別情報が「１０１」であるので、使用すべき網を電話網１０１と判定し、電話網インタフェース部１８に対し、通話相手番号「ＸＸＸＸ−ＸＸＸＸ」を通知する。すると、電話網インタフェース部１８は、電話網１０１に対して、通話相手番号「ＹＹＹＹ−ＹＹＹＹ」宛の発信処理を行う。これ以降、一般加入電話端末２と一般加入電話端末３との通話がなされることになる。
【００１０】
なお、網決定部１７は、上記以外の場合は、網決定用テーブル１７１からＩＰネットワーク１０２の網識別情報「１０２」を読み出して信号中継部１２に送信する。
【００１１】
このとき、信号中継部１２は、網識別情報が「１０２」であるので、使用すべき網をＩＰネットワーク１０２と判定し、プロトコル変換部１５に通話相手番号を通知する。プロトコル変換部１５は、ＩＰネットワークインタフェース部１９に通話相手番号を通知し、ＩＰネットワークインタフェース部１９が、ＩＰネットワーク１０２に対し、通話相手番号宛の発信処理を行う。これ以降、一般加入電話端末２とＩＰ電話端末４との通話がなされることになる。
【００１２】
したがって、通信端末アダプタ１Ａにより、一般加入電話端末から、電話網経由の通信とＩＰネットワーク１０２経由の通信が可能となる。
【００１３】
【発明が解決しようとする課題】
しかしながら、従来の通信端末アダプタは、上記「０Ａ０」のような網を指定する情報により、実際の通話に使用する網を決定していたので、かかる情報を付与されていない通話相手番号だけは、複数の網のいずれかを選択して通話相手との接続を行うことができなかった。
【００１４】
そこで本発明は、上記の従来の課題に鑑みてなされたものであり、その目的とするところは、網を指定する情報の付与等を必要としない網選択並びにこの選択した網を介した通話相手との接続を可能とする通信端末アダプタ、その制御方法、その制御プログラム、その制御プログラムを記録した記録媒体を提供することにある。
【００１５】
【課題を解決するための手段】
上記従来の課題を解決するために、請求項１の本発明は、一般加入電話端末を複数の網のいずれかを介して通話相手に接続させる通信端末アダプタにおいて、前記一般加入電話端末への過去の通話における通話相手番号と当該通話のときの網の識別情報である網識別情報とが対応づけて記憶される記憶手段と、前記一般加入電話端末からの通話の際に通知される通話相手番号に対して前記記憶手段で対応づけられている網識別情報を読み出す網識別情報読み出し手段と、前記一般加入電話端末と該一般加入電話端末から通知された前記通話相手番号で特定される通話相手とを前記読み出された網識別情報で特定される網を介して接続させる接続手段とを備える通信端末アダプタをもって解決手段とする。
【００１６】
請求項１の本発明によれば、記憶手段が過去の通話における通話相手番号と網識別情報とが対応づけて記憶し、網識別情報読み出し手段が一般加入電話端末からの通話の際に通知される通話相手番号に対して記憶手段で対応づけられている網識別情報を読み出し、接続手段が一般加入電話端末と該一般加入電話端末から通知された通話相手番号で特定される通話相手とを読み出された網識別情報で特定される網を介して接続させるので、網を指定する情報の付与等を必要としない網選択並びにこの選択した網を介した通話相手との接続が可能になる。
【００１７】
また、請求項２の本発明は、前記一般加入電話端末への通話の際に当該通話における通話相手番号と当該通話のときの網の網識別情報とを対応づけて前記記憶手段に記憶させる手段を備える請求項１記載の通信端末アダプタをもって解決手段とする。
【００１８】
請求項２の本発明によれば、一般加入電話端末への通話の際に当該通話における通話相手番号と当該通話のときの網の網識別情報とを対応づけて記憶手段に記憶させるようにしたので、網を指定する情報の付与等を必要としない網選択並びにこの選択した網を介した通話相手との接続が可能になる。
【００１９】
また、請求項３の本発明は、前記複数の網の１つがＩＰネットワークであり、（１）ＩＴＵ−Ｔ標準Ｈ．３２３勧告に準拠したプロトコル、（２）ＩＥＴＦ標準ＳＩＰ勧告に準拠したプロトコル、（３）信号をパケット化して送受信する通信プロトコルのいずれかの通信プロトコルとの変換機能を備えたことを特徴とする請求項１または２記載の通信端末アダプタをもって解決手段とする。
【００２０】
請求項３の本発明によれば、（１）ＩＴＵ−Ｔ標準Ｈ．３２３勧告に準拠したプロトコル、（２）ＩＥＴＦ標準ＳＩＰ勧告に準拠したプロトコル、（３）信号をパケット化して送受信する通信プロトコルに対応するＩＰネットワークに対応可能になる。
【００２１】
また、請求項４の本発明は、一般加入電話端末を複数の網のいずれかを介して通話相手に接続させる通信端末アダプタが、前記一般加入電話端末への過去の通話における通話相手番号と当該通話のときの網の識別情報である網識別情報とが対応づけて記憶される記憶手段を備えるときの通信端末アダプタの制御方法であって、前記一般加入電話端末からの通話の際に通知される通話相手番号に対して前記記憶手段で対応づけられている網識別情報を読み出し、前記一般加入電話端末と該一般加入電話端末から通知された前記通話相手番号で特定される通話相手とを前記読み出された網識別情報で特定される網を介して接続させる通信端末アダプタの制御方法をもって解決手段とする。
【００２２】
請求項４の本発明によれば、一般加入電話端末からの通話の際に通知される通話相手番号に対して記憶手段で対応づけられている網識別情報を読み出し、一般加入電話端末と該一般加入電話端末から通知された通話相手番号で特定される通話相手とを読み出された網識別情報で特定される網を介して接続させるので、網を指定する情報の付与等を必要としない網選択並びにこの選択した網を介した通話相手との接続が可能になる。
【００２３】
また、請求項５の本発明は、前記一般加入電話端末への通話の際に当該通話における通話相手番号と当該通話のときの網の網識別情報とを対応づけて前記記憶手段に記憶させる請求項４記載の通信端末アダプタの制御方法をもって解決手段とする。
【００２４】
請求項５の本発明によれば、一般加入電話端末への通話の際に当該通話における通話相手番号と当該通話のときの網の網識別情報とを対応づけて記憶手段に記憶させるようにしたので、網を指定する情報の付与等を必要としない網選択並びにこの選択した網を介した通話相手との接続が可能になる。
【００２５】
また、請求項６の本発明は、請求項４または５記載の通信端末アダプタの制御方法を実行させる通信端末アダプタの制御プログラムをもって解決手段とする。
【００２６】
請求項６の本発明にあっては、請求項４または５記載の通信端末アダプタの制御方法を実行させる通信端末アダプタの制御プログラムにより流通性を高めている。
【００２７】
また、請求項７の本発明は、請求項４または５記載の通信端末アダプタの制御方法を実行させる通信端末アダプタの制御プログラムを記録した記録媒体をもって解決手段とする。
【００２８】
請求項７の本発明にあっては、請求項４または５記載の通信端末アダプタの制御方法を実行させる通信端末アダプタの制御プログラムを記録した記録媒体により流通性を高めている。
【００２９】
【発明の実施の形態】
以下、本発明の実施の形態を図面を参照して説明する。
図１は、本発明の実施の形態に係る通信端末アダプタの構成図である。
【００３０】
通信端末アダプタ１は、一般加入電話端末２と同一場所に設置されて使用される装置であり、一般加入電話端末２と電話網１０１とＩＰネットワーク１０２に接続されている。
【００３１】
通信端末アダプタ１は、一般加入電話端末インタフェース部１１と、信号中継部１２と、網決定部１３と、電話網インタフェース部１４と、プロトコル変換部１５と、ＩＰネットワークインタフェース部１６とを備えてなる。なお、これらの各部は、コンピュータプログラム（制御プログラム）により動作するものである、この制御プログラムは、半導体メモリ、磁気ディスク、光ディスク、光磁気ディスク、磁気テープなどのコンピュータ読み取り可能な記録媒体に記録したり、インターネットなどの通信網を介して伝送させて、広く流通させることができる。
【００３２】
一般加入電話端末インタフェース部１１は、一般加入電話端末２との信号の送受信を行う。信号中継部１２は、一般加入電話端末インタフェース部１１と電話網インタフェース部１４の間、または、一般加入電話端末インタフェース部１１とプロトコル変換部１５との間の信号中継を行う。特に、一般加入電話端末２からの通話の際に一般加入電話端末インタフェース部１１から通話相手番号が通知されると、この通話相手番号を網決定部１３に送信し、これに対して網決定部１３が送信してきた網識別情報が「１０１」であるときは、通話相手番号を電話網インタフェース部１４に送信し、一方、網識別情報が「１０２」であるときは、通話相手番号をプロトコル変換部１５に送信する。
【００３３】
網決定部１３は、通話に用いる網を判定するための網決定用テーブル１３１を備えている。
図２は、網決定部１３が備える網決定用テーブル１３１を示す図である。
網決定用テーブル１３１には、一般加入電話端末２への過去の通話における通話相手番号と当該通話のときの網の識別情報である網識別情報とが対応づけて記憶される。図２の１０１は、電話網１０１の網識別情報であり、図２の１０２はＩＰネットワーク１０２の網識別情報である。
【００３４】
網決定部１３は、通話相手番号が電話網インタフェース部１４から通知された場合は、この通話相手番号と網識別情報「１０１」とを対応づけて網決定用テーブル１３１に記憶させるようになっている。一方、ＩＰネットワークインタフェース部１６から通知された場合は、通知された通話相手番号と網識別情報「１０２」とを対応づけて網決定用テーブル１３１に記憶させるようになっている。
【００３５】
図１に戻り、説明を続ける。
電話網インタフェース部１４は、電話網１０１に対して、信号中継部１２から通知された通話相手番号宛の発信処理を行う。
【００３６】
プロトコル変換部１５は、信号中継部１２から通知された通話相手番号をＩＰネットワークインタフェース部１６に通知し、通話中は、プロトコル変換を行う。
【００３７】
ＩＰネットワークインタフェース部１６は、ＩＰネットワーク１０２に対し、プロトコル変換部１５から通知された通話相手番号宛の発信処理を行う。
【００３８】
図３は、一般加入電話端末２への電話網１０１を介した通話の際の通信端末アダプタ１の動作を示す図である。ここでは、電話網１０１に接続された一般加入電話端末３（この端末が接続された加入者回線の回線番号を「３Ａ」と表記する）から一般加入電話端末２へ通話がなされる場合の動作を説明する。
【００３９】
電話網インタフェース部１４は電話網１０１から着信すると信号中継部１２に送信し、信号中継部１２が信号を一般加入電話端末インタフェース部１１に送信し、一般加入電話端末インタフェース部１１が一般加入電話端末２へ着信させる。なお、一般加入電話端末２は、一般加入電話端末インタフェース部１１からの着信を受けて着信動作を行い、これ以降、一般加入電話端末２と一般加入電話端末３との通話がなされることになる。
【００４０】
その際に、電話網インタフェース部１４は、電話網１０１から通知される加入者回線番号「３Ａ」を網決定部１３へ通知する（Ｓ１）。すると網決定部１３は、この加入者回線番号「３Ａ」を通話相手番号として、この通話相手番号「３Ａ」と、この番号の通知元である電話網インタフェース部１４に対応する網識別情報「１０１」とを対応づけて網決定用テーブル１３１に記憶させる（Ｓ２）。この記憶動作は通話前または後または通話中に行われる。
【００４１】
図４は、一般加入電話端末２へのＩＰネットワーク１０２を介した通話の際の通信端末アダプタ１の動作を示す図である。ここでは、ＩＰネットワーク１０２に接続されたＩＰ電話端末４（この端末に付与された端末番号を「４Ａ」と表記する）から一般加入電話端末２へ通話がなされる場合の動作を説明する。
【００４２】
ＩＰネットワークインタフェース部１６はＩＰネットワーク１０２から着信すると信号をプロトコル変換部１５に送信し、プロトコル変換部１５が信号を信号中継部１２へ送信し、中継部１２が信号を一般加入電話端末インタフェース部１１に送信し、一般加入電話端末インタフェース部１１が一般加入電話端末２へ着信させる。なお、プロトコル変換部１５は、通話中はプロトコル変換を行う。また、一般加入電話端末２は、一般加入電話端末インタフェース部１１からの着信を受けて着信動作を行い、これ以降、一般加入電話端末２とＩＰ電話端末４との通話がなされることになる。
【００４３】
そして、ＩＰネットワークインタフェース部１６は、ＩＰネットワーク１０２から通知される端末番号「４Ａ」を網決定部１３へ通知する（Ｓ１１）。すると網決定部１３は、この端末番号「４Ａ」を通話相手番号として、この通話相手番号「４Ａ」と、この番号の通知元であるＩＰネットワークインタフェース部１６に対応する網識別情報「１０２」とを対応づけて網決定用テーブル１３１に記憶させる（Ｓ１２）。この動作は、通話前または後または通話中に行われる。
【００４４】
図５は、一般加入電話端末２からの電話網１０１を介した通話の際の通信端末アダプタ１の動作を示す図である。ここでは、図３で説明した処理により、網決定部１３の網決定用テーブル１３１には、通話相手番号「３Ａ」と網識別情報「１０１」とが対応づけて記憶されていることを前提として、一般加入電話端末２から、一般加入電話端末３への通話がなされる場合の動作を説明する。
【００４５】
一般加入電話端末インタフェース部１１は、一般加入電話端末２からの通話の際に、一般加入電話端末２から回線番号「３Ａ」が通知されると、この回線番号「３Ａ」を信号中継部１２に通知する。
【００４６】
信号中継部１２は、この回線番号「３Ａ」を網決定部１３に通知する（Ｓ２１）。網決定部１３は、この回線番号「３Ａ」を通話相手番号としたときに、網決定用テーブル１３１において、通話相手番号「３Ａ」に対応づけられている網識別情報「１０１」を読み出して（Ｓ２２）、その網識別情報を信号中継部１２に送信する（Ｓ２３）。
【００４７】
信号中継部１２は、この網識別情報「１０１」が送信されたので、電話網インタフェース部１４に対し、回線番号「３Ａ」を通知する。すると、電話網インタフェース部１４は、電話網１０１に対して、回線番号「３Ａ」宛の発信処理を行う。これ以降、一般加入電話端末２と一般加入電話端末３との通話がなされることになる。
【００４８】
図６は、一般加入電話端末２からのＩＰネットワーク１０２を介した通話の際の通信端末アダプタ１の動作を示す図である。ここでは、図４で説明した処理により、網決定部１３の網決定用テーブル１３１には、通話相手番号「４Ａ」と網識別情報「１０２」とが対応づけて記憶されていることを前提として、一般加入電話端末２から、ＩＰ電話端末４への通話がなされる場合の動作を説明する。
【００４９】
一般加入電話端末インタフェース部１１は、一般加入電話端末２からの通話の際に、一般加入電話端末２から端末番号「４Ａ」が通知されると、この端末番号「４Ａ」を信号中継部１２に通知する。なお、端末番号「４Ａ」には、「０Ａ０」のような網決定のための特別な情報は付加されない。
【００５０】
信号中継部１２は、この端末番号「４Ａ」を網決定部１３に通知する（Ｓ３１）。網決定部１３は、この端末番号を通話相手番号としたときに、網決定用テーブル１３１において、この通話相手番号「４Ａ」に対応づけられている網識別情報「１０２」を読み出して（Ｓ３２）、その網識別情報を信号中継部１２に送信する（Ｓ３３）。
【００５１】
信号中継部１２は、網識別情報「１０２」が送信されたので、プロトコル変換部１５に対し、端末番号「４Ａ」を通知する。すると、プロトコル変換部１５は、この端末番号「４Ａ」をＩＰネットワークインタフェース部１６に通知する。すると、ＩＰネットワークインタフェース部１６は、ＩＰネットワーク１０２に対して、端末番号「４Ａ」宛の発信処理を行う。これ以降、一般加入電話端末２とＩＰ電話端末４との通話がなされることになる。
【００５２】
なお、ＩＰネットワーク１０２の採用するプロトコルに応じて、プロトコル変換部１５は、（１）ＩＴＵ−Ｔ標準Ｈ．３２３勧告に準拠したプロトコル、（２）ＩＥＴＦ標準ＳＩＰ勧告に準拠したプロトコル、（３）信号をパケット化して送受信する通信プロトコルのいずれかの通信プロトコルとの変換機能を備えるように構成することが望ましい。
【００５３】
以上説明したように、本実施の形態の通信端末アダプタ１によれば、記憶手段たる網決定用テーブル１３１が過去の通話における通話相手番号と網識別情報とを対応づけて記憶し、網識別情報読み出し手段たる網決定部１３が一般加入電話端末２からの通話の際に通知される通話相手番号に対して記憶手段たる網決定用テーブル１３１で対応づけられている網識別情報を読み出す。そして、一般加入電話端末と該一般加入電話端末から通知された通話相手番号で特定される通話相手とを、接続手段たる、一般加入電話端末インタフェース部１１、信号中継部１２及び電話網インタフェース部１４または、一般加入電話端末インタフェース部１１、信号中継部１２、プロトコル変換部１５及びＩＰネットワークインタフェース部１６が、読み出された網識別情報で特定される網を介して接続させるので、網を指定する情報の付与等を必要としない網選択並びにこの選択した網を介した通話相手との接続が可能になる。
【００５４】
また、一般加入電話端末への通話の際に当該通話における通話相手番号と当該通話のときの網の網識別情報とを対応づけて記憶手段（１３１）に記憶させるようにしたので、網を指定する情報の付与等を必要としない網選択並びにこの選択した網を介した通話相手との接続が可能になる。
【００５５】
なお、電話網１０１とＩＰネットワーク１０２には、通信回線や通信装置等の物理的資源について重複する部分が存在してもよい。
【００５６】
【発明の効果】
以上説明したように、本発明によれば、過去の通話における通話相手番号と網識別情報とが対応づけて記憶し、一般加入電話端末からの通話の際に通知される通話相手番号に対して記憶手段で対応づけられている網識別情報を読み出し、接続手段が一般加入電話端末と該一般加入電話端末から通知された通話相手番号で特定される通話相手とを読み出された網識別情報で特定される網を介して接続させるので、網を指定する情報の付与等を必要としない網選択並びにこの選択した網を介した通話相手との接続が可能になる。
【図面の簡単な説明】
【図１】本発明の実施の形態に係る通信端末アダプタの構成図である。
【図２】網決定部１３が備える網決定用テーブル１３１を示す図である。
【図３】一般加入電話端末２への電話網１０１を介した通話の際の通信端末アダプタ１の動作を示す図である。
【図４】一般加入電話端末２へのＩＰネットワーク１０２を介した通話の際の通信端末アダプタ１の動作を示す図である。
【図５】一般加入電話端末２からの電話網１０１を介した通話の際の通信端末アダプタ１の動作を示す図である。
【図６】一般加入電話端末２からのＩＰネットワーク１０２を介した通話の際の通信端末アダプタ１の動作を示す図である。
【図７】従来の通信端末アダプタの構成図である。
【図８】従来の通信端末アダプタの網決定用テーブルを示す図である。
【符号の説明】
１　通信端末アダプタ
２，３　一般加入電話端末
４　ＩＰ電話端末
１１　一般加入電話端末インタフェース部
１２　信号中継部
１３　網決定部
１４　電話網インタフェース部
１５　プロトコル変換部
１６　ＩＰネットワークインタフェース部
１３１　網決定用テーブル
【図１】
2004040327.tif 000003
【図２】
2004040327.tif 000004
【図３】
2004040327.tif 000005
【図４】
2004040327.tif 000006
【図５】
2004040327.tif 000007
【図６】
2004040327.tif 000008
【図７】
2004040327.tif 000009
【図８】
2004040327.tif 000010